(57)【要約】    【課題】      携帯端末の所有者が広告内容を視聴した場合は、視聴単位に応じて課金調整を行うと共に必要に応じて広告内容の詳細がダウンロードされるようにする。    【解決手段】  サーバ４００内に広告情報格納部４０２とサブジェクト生成部４０７を設け、携帯電話機１００内のダウンロード要求信号生成部１０２が生成したダウンロード要求信号によって、広告内容のサブジェクトと詳細な広告内容を個別にダウンロードすることで、携帯電話機１００のメモリ容量が膨大になることを防止する。また、サーバ４００の視聴モニタ部４０５が、携帯電話機１００の所有者が視聴した広告情報の視聴単位（例えば、視聴時間やアクセス回数）をモニタし、サーバ４００の割引処理部４０６が広告情報の視聴単位に応じて携帯電話機１００に対する課金の割引処理を行う。  【選択図】      図３
2006140688.tif 000002
【特許請求の範囲】
【請求項１】
携帯端末が広告情報をダウンロードしてその広告情報の報知を行う携帯端末の広告情報報知システムであって、
前記携帯端末で視聴された前記広告情報の視聴単位を監視する監視手段と、
前記監視手段が監視した前記広告情報の視聴単位に応じて前記携帯端末の課金割引処理を行う割引処理手段と、
を備えることを特徴とする携帯端末の広告情報報知システム。
【請求項２】
前記視聴単位は、前記広告情報の視聴時間又は前記広告情報へのアクセス回数であることを特徴とする請求項１に記載の携帯端末の広告情報報知システム。
【請求項３】
さらに、前記携帯端末に対して前記広告情報のサブジェクトのみを生成してダウンロードするサブジェクト生成手段と、
前記携帯端末が所望のサブジェクトを選択したとき、選択されたサブジェクトに対応する広告情報の詳細内容を前記携帯端末にダウンロードさせる詳細情報ダウンロード手段と、
を備えることを特徴とする請求項１又は請求項２に記載の携帯端末の広告情報報知システム。
【請求項４】
前記携帯端末は、選択されたサブジェクトに対応する広告情報の詳細内容を格納できるだけの記憶容量を持った記憶手段を備えていることを特徴とする請求項３に記載の携帯端末の広告情報報知システム。
【請求項５】
前記携帯端末にサブジェクトがダウンロードされたとき、そのサブジェクト内容又はサブジェクトがダウンロードされたことを認識させる認識情報が、前記携帯端末に選択的に表示されることを特徴とする請求項１乃至請求項４のいずれかに記載の携帯端末の広告情報報知システム。
【請求項６】
携帯端末に広告情報を表示させる携帯端末の広告情報表示方法であって、
前記携帯端末の利用者が前記広告情報を視聴した場合は、視聴単位に応じて前記携帯端末の課金料金を割引くことを特徴とする携帯端末の広告情報表示方法。
【請求項７】
前記視聴単位は、前記広告情報の視聴時間又は前記広告情報へのアクセス回数であることを特徴とする請求項６に記載の携帯端末の広告情報表示方法。
【請求項８】
前記携帯端末には前記広告情報のサブジェクトのみがあらかじめダウンロードされて表示され、前記携帯端末が前記サブジェクトに対応するサーバにアクセスしたとき、そのサブジェクトに対応する広告情報の詳細内容がダウンロードされて表示されることを特徴とする請求項７に記載の携帯端末の広告情報表示方法。
【請求項９】
前記携帯端末は、選択されたサブジェクトに対応する広告情報の詳細内容を格納できるだけの記憶容量を備えていることを特徴とする請求項８に記載の携帯端末の広告情報表示方法。
【請求項１０】
前記携帯端末にサブジェクトがダウンロードされたとき、そのサブジェクト内容又はサブジェクトがダウンロードされたことを認識させる認識情報が、前記携帯端末に選択的に表示されることを特徴とする請求項６乃至請求項９のいずれかに記載の携帯端末の広告情報表示方法。
【発明の詳細な説明】
【技術分野】
【０００１】
本発明は、携帯電話機やＰＨＳなどの携帯端末が広告情報をダウンロードしてその広告情報の報知を行う携帯端末の広告情報報知システム等に関し、特に、広告情報を文字や画像で携帯端末に表示したり音声で通知したりする報知機能を備えると共に広告情報の視聴状況によって課金調整を行う課金調整機能を備える携帯端末の広告情報報知システム、及び広告情報に関わる報知機能や課金調整機能を実現させるための携帯端末の広告情報表示方法に関する。
【背景技術】
【０００２】
現在の携帯電話機では、音声通話にとどまらず、データ通信や電子メールの送受信などの通信サービスが提供されている。また、現在の携帯電話機はカメラ付携帯電話機が主流であって、撮影した画像を保存するなど携帯電話機内に格納される情報容量は増大する傾向にある。さらに、携帯電話機の広告情報報知方法として、広告情報に関する音声やメロディを鳴らしたり、１つ以上の広告内容をあらかじめダウンロードして文字情報で表示したりする広告情報報知方法が提案されている（例えば、特許文献１参照）。なお、この特許文献では、上記のような広告情報報知方法を広義の意味で広告情報表示方法と表現している。この技術によれば、１つ以上の広告内容を基地局から携帯電話機にあらかじめダウンロードしておくことによって、所望の広告内容を画面に表示したり、広告宣伝音を音声通知したりすることができるようになっている。そして、視聴した対価によって携帯電話機の所有者の各種料金（例えば、通話料金や電子メール料金など）が割り引かれるようになっている。
【特許文献１】特開２００１−１８６５７５号公報
【発明の開示】
【発明が解決しようとする課題】
【０００３】
しかしながら、上記の特許文献１に記載された携帯電話機の広告情報表示方法は、携帯電話機の画面上において１つ以上の広告内容の最初のページがマークで区切って表示されていて、必要に応じて次のページ以降を選択表示させるのである。そのため、携帯電話機には１つ以上の広告内容があらかじめダウンロードされるようになっているので、ダウンロードする広告内容によっては携帯電話機のメモリ容量が不足することもある。さらに、ダウンロードされた全ての広告内容を任意に視聴することができるので、携帯電話機の所有者が広告内容を視聴しない場合においても広告内容が随時にダウンロードされてしまい、結果的に携帯電話機のメモリ容量が不足してしまうという事態も発生する。
【０００４】
本発明はかかる点に鑑みてなされたものであり、携帯端末の所有者が広告内容を視聴した場合は、視聴単位に応じて課金調整を行うと共に必要に応じて広告内容の詳細がダウンロードされるような携帯端末の広告情報報知システム、及び携帯端末の広告情報表示方法を提供することを目的とする。
【課題を解決するための手段】
【０００５】
本発明における携帯端末の広告情報報知システムは、携帯端末が広告情報をダウンロードしてその広告情報の報知を行う携帯端末の広告情報報知システムであって、携帯端末で視聴された広告情報の視聴単位を監視する監視手段と、監視手段が監視した広告情報の視聴単位に応じて携帯端末の課金割引処理を行う割引処理手段とを備える構成を採る。
【０００６】
また、本発明における携帯端末の広告情報報知システムは、前記発明の構成において、前記視聴単位は広告情報の視聴時間又は広告情報へのアクセス回数である構成を採る。
【０００７】
また、本発明における携帯端末の広告情報報知システムは、前記発明の構成に加えて、さらに、携帯端末に対して広告情報のサブジェクトのみを生成してダウンロードするサブジェクト生成手段と、携帯端末が所望のサブジェクトを選択したとき、選択されたサブジェクトに対応する広告情報の詳細内容を携帯端末にダウンロードさせる詳細情報ダウンロード手段とを備える構成を採る。
【０００８】
また、本発明における携帯端末の広告情報報知システムは、前記発明の構成に加えて、携帯端末は、選択されたサブジェクトに対応する広告情報の詳細内容を格納できるだけの記憶容量を持った記憶手段を備える構成を採る。
【０００９】
また、本発明における携帯端末の広告情報報知システムは、前記発明の構成に加えて、携帯端末にサブジェクトがダウンロードされたとき、そのサブジェクト内容又はサブジェクトがダウンロードされたことを認識させる認識情報（例えば、マーク）が、携帯端末に選択的に表示される構成を採る。
【００１０】
また、本発明は、携帯端末に広告情報を表示させる携帯端末の広告情報表示方法であって、携帯端末の利用者が広告情報を視聴した場合は、視聴単位に応じて携帯端末の課金料金（通話料金や電子メール料金など）を割引くことを特徴とする。
【００１１】
また、本発明は、前記発明の携帯端末の広告情報表示方法において、前記視聴単位は、広告情報の視聴時間又は広告情報へのアクセス回数であることを特徴とする。
【００１２】
また、本発明は、前記発明の携帯端末の広告情報表示方法において、携帯端末には広告情報のサブジェクトのみがあらかじめダウンロードされて表示され、携帯端末がサブジェクトに対応するサーバにアクセスしたとき、そのサブジェクトに対応する広告情報の詳細内容がダウンロードされて表示されることを特徴とする。
【００１３】
また、本発明は、前記発明の携帯端末の広告情報表示方法において、携帯端末は選択されたサブジェクトに対応する広告情報の詳細内容を格納できるだけの記憶容量を備えていることを特徴とする。
【００１４】
また、本発明は、前記発明の携帯端末の広告情報表示方法において、携帯端末にサブジェクトがダウンロードされたとき、そのサブジェクト内容又はサブジェクトがダウンロードされたことを認識させる認識情報（例えばマーク）が携帯端末に選択的に表示されることを特徴とする。
【発明の効果】
【００１５】
本発明における携帯端末の広告情報報知システムによれば、携帯端末の利用者（例えば、所有者）が広告情報を視聴した場合は、視聴した単位(例えば、視聴時間やアクセス回数)によって各種料金（つまり、通話料金や電子メール料金）が割引かれる。これによって、携帯端末の利用者が広告内容を視聴した場合には、広告情報の取得の程度によって課金料金が割り引かれるので利用者にとってメリットあると共に、広告主は効果の高い広告情報を周知させることができる。
【００１６】
また、本発明における携帯端末の広告情報報知システムによれば、携帯端末に対して最初に広告情報のサブジェクトのみがダウンロード表示され、詳細な広告情報を表示する場合には携帯端末の所有者がネットワーク上のサーバにアクセスしてダウンロードすることによって、携帯端末にはあらかじめ広告内容のサブジェクトのみがダウンロード表示されるので、携帯端末の所有者はサブジェクトの表示内容を確認した上で興味のある広告内容のみを選択することができる。
【００１７】
さらに、本発明における携帯端末の広告情報報知システムによれば、最初に広告情報のサブジェクトのみがダウンロード表示され、より詳細な広告情報を表示する場合は携帯端末の所有者がサーバにアクセスして必要な広告情報をダウンロードすることにより、携帯端末のメモリ容量を軽減させることができる。このような広告情報表示方法により、あらかじめ広告内容のサブジェクトのみを視聴し、より詳細な内容を表示する場合は、携帯端末の所有者がサーバにアクセスしてダウンロードすることで、携帯端末のメモリ容量を膨大にせずに大量の広告内容を視聴することができる。
【００１８】
また、本発明における携帯端末の広告情報報知システムによれば、サブジェクトが携帯端末にダウンロードされたときは、そのサブジェクト内容の表示又はサブジェクトがダウンロードされたことを認識させるマーク（例えばアイコンなど）のいずれかを選択して画面に表示されることができる。したがって、携帯端末の所有者は即座に画面上で広告内容のサブジェクトを確認することができる。さらに、広告内容のサブジェクトがダウンロードされたことを認識させるマークを画面上に表示させることで、未だ視聴していない広告内容がダウンロードされたことを知ることができる。このことによって、携帯端末の所有者は、各自が広告内容を視聴したいときに広告内容のサブジェクトをまとめて視聴することが可能となる。
【発明を実施するための最良の形態】
【００１９】
＜発明の概要＞
本発明による携帯端末の広告情報報知システムは、携帯端末に対して広告情報が文字や画像で表示されたり音声で通知されたりするようになっている。そして、携帯端末の所有者が広告内容を視聴した場合は、視聴した単位(例えば、視聴時間やアクセス回数)によって通話料金や電子メール料金などの各種料金が割り引かれるようになっている。このとき、携帯端末に対しては広告内容のサブジェクト（概要）のみがダウンロードされ、所有者が詳細な広告内容を視聴したい場合には、ネットワーク上のサーバにアクセスすることによって所望の広告内容がダウンロードされるようになっている。これによって、広告情報の提供の対価に応じて通話・通信料金を割り引くことができると共に、携帯端末のメモリ容量が広告情報で一杯になることを未然に防止することができる。
【００２０】
以下、図面を用いて、本発明における携帯端末の広告情報報知システムの実施の形態の幾つかを詳細に説明する。なお、以下の説明では、理解を容易にするために、携帯端末として携帯電話機を用い、広告情報を文字や画像で表示したり音声で通知したりする広告情報報知方法を、広義の意味で広告情報表示方法と表現することにする。また、以下の各実施の形態で用いる図面において、同一の構成要素は同一の符号を付し、かつ重複する説明は可能な限り省略する。
【００２１】
＜実施の形態１＞
図１は、本発明における携帯電話機の広告情報表示方法を実現するための携帯電話システムの全体構成の一例を示すブロック図である。図１に示すように、この携帯電話システムは、ＰＨＳなどを含む複数の携帯電話機１００と、各携帯電話機１００の通信エリアを管轄する複数の基地局２００と、複数の基地局２００のそれぞれに対して通信制御を行う複数の交換局３００と、広告情報を各携帯電話機１００に配信するサーバ４００と、各広告主が自己の広告情報を登録する複数の広告主用サーバ接続局５００とを備えた構成となっている。そして、複数の携帯電話機１００は、無線信号を介して複数の基地局２００に接続され、複数の基地局２００は、導体配線や光ケーブルなどによる有線信号、又は無線信号を介して複数の交換局３００と接続されている。さらに、複数の交換局３００、サーバ４００、複数の広告主用サーバ接続局５００は、ネットワーク網６００を介して接続されている。このようにして、有線信号、無線信号及びネットワーク網６００を介して携帯電話システムの各要素は相互に接続できるように構成されている。なお、ネットワーク網６００への接続は双方向接続として図示している。
【００２２】
図２は、図１に示す携帯電話システムの一系統を対象とした、本発明における実施の形態１の携帯電話システムの構成内容を示すブロック図である。したがって、図２を用いて、本発明の実施の形態１における携帯電話機の広告情報表示方法について説明するが、まず、図２に示す携帯電話システムの構成について説明する。この携帯電話システムは、携帯電話機１００、基地局２００、交換局３００、サーバ４００、及び広告主用サーバ接続局５００がそれぞれの通信経路を介してネットワーク網６００に接続されている。
【００２３】
また、携帯電話機１００は、基地局２００との間で無線信号の送受信を行い、無線信号に変換された広告情報格納信号を受信する携帯電話機信号インターフェイス部１０１と、携帯電話機信号インターフェイス部１０１が受信した広告情報格納信号に基づいてダウンロード要求信号を生成するダウンロード要求信号生成部１０２と、無線信号に変換された広告情報を携帯電話機信号インターフェイス部１０１から取得し、その広告情報を文字又は画像によって表示する広告表示部１０３とを備えた構成となっている。さらに、基地局２００は、携帯電話機１００及び交換局３００との間で無線信号又は有線信号の送受信を行う基地局信号インターフェイス部２０１を備えた構成となっている。
【００２４】
また、サーバは、ネットワーク網６００を介して広告主用サーバ接続局５００から広告情報を受信するサーバインターフェイス部４０１と、サーバインターフェイス部４０１が受信した広告情報を格納する広告情報格納部４０２と、広告情報格納部４０２に格納された広告情報に基づいて広告情報格納信号を生成する格納信号生成部４０３と、携帯電話機１００からのダウンロード要求信号を基地局２００及び交換局３００を介して受信するダウンロード要求信号受信部４０４と、携帯電話機１００で視聴された広告情報の視聴単位(視聴時間又はアクセス回数)をモニタリングする視聴モニタ部４０５と、視聴モニタ部４０５がモニタリングした視聴単位で対価した各種料金（通話料金や電子メール料金）の割引処理を行う割引処理部４０６とを備えた構成となっている。
【００２５】
次に、図２に示す携帯電話システムにおける広告情報表示方法の動作の流れを説明する。広告主が広告情報を広告主用サーバ接続局５００に登録すると、広告主用サーバ接続局５００は、ネットワーク網６００を介してその広告情報をサーバ４００へ伝達する。すると、サーバ４００は、その広告情報をサーバインターフェイス部４０１経由で広告情報格納部４０２へ格納する。このようにして広告情報が広告情報格納部４０２に格納されると、格納信号生成部４０３が格納された広告情報に基づいて広告情報格納信号を生成する。そして、格納信号生成部４０３で生成された広告情報格納信号は、サーバインターフェイス部４０１経由でサーバ４００からネットワーク網６００を介して交換局３００に伝達される。すると、交換局３００はサーバ４００からの広告情報格納信号を基地局２００へ伝達し、基地局２００は、受信した広告情報格納信号を基地局信号インターフェイス部２０１で無線信号に変換し、その無線信号を携帯電話機１００へ伝達する。
【００２６】
これによって、携帯電話機１００は無線信号に変換された広告情報格納信号を携帯電話機信号インターフェイス部１０１で受信する。このようにして携帯電話機信号インターフェイス部１０１に広告情報格納信号が受信されると、ダウンロード要求信号生成部１０２はダウンロード要求信号を生成する。そして、ダウンロード要求信号が生成されると、携帯電話機信号インターフェイス部１０１はそのダウンロード要求信号を無線信号に変換して基地局２００へ伝達する。さらに、基地局２００は無線信号に変換されたダウンロード要求信号を基地局信号インターフェイス部２０１で受信する。そして、ダウンロード要求信号は基地局２００から交換局３００へ伝達され、ネットワーク網６００を介してサーバ４００へ伝達される。
【００２７】
すると、サーバ４００は、サーバインターフェイス部４０１経由でダウンロード要求信号受信部４０４がダウンロード要求信号を受信する。このようにしてダウンロード要求信号受信部４０４がダウンロード要求信号を受信すると、視聴モニタ部４０５が広告情報を視聴した視聴単位(視聴時間又はアクセス回数)をモニタし、割引処理部４０６が視聴単位で対価した各種料金（つまり、通話料金や電子メール料金）を割り引く。さらに、広告情報格納部４０２に格納された広告情報は、サーバインターフェイス部４０１経由でネットワーク網６００を介して交換局３００へ伝達される。さらに、交換局３００は基地局２００へその広告情報を伝達し、基地局２００はその広告情報を基地局信号インターフェイス部２０１で無線信号に変換し、その無線信号を携帯電話機１００へ伝達する。
【００２８】
これによって、携帯電話機１００は、無線信号に変換された広告情報を携帯電話機信号インターフェイス部１０１で受信し、その広告情報を広告表示部１０３で表示させる。なお、広告情報格納信号をサーバ４００から携帯電話機１００へ伝達するタイミングは、あらかじめ定められた定期的な時間であってもよいし、ネットワーク網６００が混雑していない時間などでもよく、任意に選択することができる。
【００２９】
＜実施の形態２＞
図３は、図１に示す携帯電話システムの一系統を対象とした、本発明における実施の形態２の携帯電話システムの構成内容を示すブロック図である。図３に示す実施の形態２の携帯電話システムは、図２に示す実施の形態１の携帯電話システムに対して、サーバ４００において、広告情報のサブジェクトのみを生成するサブジェクト生成部４０７が追加され、携帯電話機１００において、詳細な広告内容を表示する場合に所望のサブジェクトを選択するためのサブジェクト選択部１０４と、所望のサブジェクトが選択されたときに選択サブジェクトダウンロード要求信号を生成する選択サブジェクトダウンロード要求部１０５とが追加された構成となっている。
【００３０】
次に、図３に示す実施の形態２の携帯電話システムにおける広告情報表示方法の動作の流れを説明する。実施の形態２では可能な限り重複する説明は省絡するが、動作の流れを分かりやすくするために一部で重複する説明も存在する。
【００３１】
本発明の実施の形態２における携帯電話機の広告情報表示方法では、広告主が広告情報を広告主用サーバ接続局５００に登録すると、広告主用サーバ接続局５００はその広告情報をネットワーク網６００を介してサーバ４００に伝達する。サーバ４００はその広告情報をサーバインターフェイス部４０１経由で広告情報格納部４０２へ格納する。広告情報格納部４０２にその広告情報が格納されると、サブジェクト生成部４０７はその広告情報のサブジェクトのみを生成する。このとき、広告情報格納部４０２には主たる広告情報（つまり、詳細な広告内容）が格納されている。
【００３２】
次に、格納信号生成部４０３で生成された格納信号が携帯電話機１００に伝達されると、携帯電話機１００はダウンロード要求信号生成部１０２で生成したダウンロード要求信号をサーバ４００へ伝達する。サーバ４００は、ダウンロード要求信号受信部４０４がダウンロード要求信号を受信すると、サブジェクト生成部４０７に格納されていた広告情報のサブジェクトを携帯電話機１００へ伝達する。
【００３３】
一方、広告表示部１０３には１つ以上の広告情報のサブジェクトが表示されるので、携帯電話機１００の所有者は１つ以上の広告情報のサブジェクトを視聴することになる。そして、携帯電話機１００の所有者が所望して詳細な広告内容を表示する場合は、携帯電話機１００のサブジェクト選択部１０４が所望のサブジェクトを選択し、選択サブジェクトダウンロード要求部１０５が選択されたサブジェクトに基づいて選択サブジェクトダウンロード要求信号を生成する。さらに、携帯電話端末１００から選択サブジェクトダウンロード要求信号がサーバ４００へ伝達される。これによって、サーバ４００は、広告情報格納部４０２に格納されていた主たる広告情報（つまり詳細な広告内容）を携帯電話機１００へダウンロードする。
【００３４】
以上のように、最初にサブジェクトのみを携帯電話機１００にダウンロードして表示させることで、携帯電話機１００の所有者は詳細な広告情報を視聴しなくとも広告内容の概要を把握することができる。そして、詳細な広告内容を視聴したい場合には、サーバ４００に格納されている広告情報をその都度ダウンロードすればよい。なお、携帯電話機１００とサーバ４００との間の無線信号の伝達の過程は、前述の実施の形態１で説明した動作内容と全く同じである。また、広告内容のサブジェクトの選択は携帯電話機１００のスクロールボタンや数字（文字）ボタンを押下するなど、通常の携帯電話機の操作手順に準拠する。なお、上記の説明は広告内容を文字又は画像で表示する場合について説明したが、音声広告の場合には主たる広告情報（つまり詳細な広告内容）が文字又は画像に比して広告情報量が少ないと考えられるため、サブジェクトのダウンロード時にそれらの広告情報を携帯電話機のメモリに格納してもよい。
【００３５】
＜実施の形態３＞
図４は、本発明における携帯電話機の広告情報表示方法を実現するための、実施の形態３における携帯電話機の構成を示すブロック図である。図４において、携帯電話機１００は、無線信号に変換された各ダウンロード要求信号又は広告情報を受信する無線部１５０と、画面の操作を行うスクロールボタンや電話番号の設定又は電子メールなどの操作を行うる数字（文字）ボタンなどを配置した操作部１５１と、広告情報、電話番号、電子メール内容などを格納するメモリ部１５２と、広告情報、電話番号、電子メール内容などを表示する表示部１５３と、音声広告や通話音声の入出力又は通話音声の入出力を行う入出力部１５４と、無線部１５０、操作部１５１、メモリ部１５２、表示部１５３、及び入出力部１５４を制御する制御部１５５とを備えた構成となっている。
【００３６】
また、図４では図示していないが、現在の携帯電話機１００はカメラ付携帯電話機が主流であり、携帯電話機１００の所有者が撮影した画像をメモリ部１５２に格納することが一般的である。さらに、図４では図示していないが、動画像の撮影も可能な携帯電話機１００もあり、これらの携帯電話機１００ではメモリ部１５２に格納される情報の容量は益々増大する傾向にある。そこで、本発明における実施の形態３の携帯電話機１００は、上記のような画像情報を格納するためのメモリ領域を確保するために、広告情報の表示については携帯電話機内に格納される情報量を軽減させるように構成した。
【００３７】
すなわち、携帯電話機１００の所有者が表示部１５３や入出力部１５４によって広告内容のサブジェクトのみを視聴し、その中で興味を持った広告内容を視聴する場合にのみ詳細な広告内容を携帯電話機１００にダウンロードするようにする。これによって、携帯電話機１００の所有者が興味を持たない広告内容をむやみにダウンロードして、携帯電話機１００のメモリ部１５２のメモリ容量を無用に増加させることを防止することができる。つまり、広告内容を表示する場合は、最初にサブジェクトのみをダウンロードして表示させ、携帯電話機１００の所有者が興味を持った広告内容だけを選択して表示することによって携帯電話機１００のメモリ部１５２の容量を削減することができる。
【００３８】
＜実施の形態４＞
図５は、本発明における携帯電話機の広告情報表示方法を実現するための、実施の形態４における携帯電話機の画面を示す図である。携帯電話機の所有者は、あらかじめ、一般の携帯電話機に準拠した操作手順でモード設定を行うことによって、広告内容のサブジェクトの表示、又は画面上にサブジェクトがダウンロードされたことを認識させる表示を任意に選択することができる。例えば、携帯電話機の所有者が通常は視聴しないモード設定にした場合は、図５に示すように画面上にマークや日付を表示させる。これにより、携帯電話機の所有者は都合のよいときだけ広告内容のサブジェクトを視聴することができる。
【００３９】
なお、実施の形態４では、サブジェクトがダウンロードされたことを認識させる方法として、携帯電話機の画面上にダウンロードされたことを認識させるアイコンなどのマークが表示されているが、バイブレータ機能や着呼音などによってサブジェクトがダウンロードされたことを認識させてもよい。又は、画面やスクロールボタンや数字（文字）ボタンなどのバックライトを点灯させるなどして、サブジェクトがダウンロードされたことを認識させてもよい。このようにすることによって、携帯電話機をポケットに入れていた場合や暗い場所においてもサブジェクトがダウンロードされたことを認識することができる。
【産業上の利用可能性】
【００４０】
以上説明したように、本発明に係る携帯端末の広告情報報知システム及び広告情報表示方法は、その所有者が広告内容を視聴した場合に、視聴した単位(例えば、視聴時間やアクセス回数)によって通話料金や電子メール料金などの各種料金を割引くことができる。これによって、携帯電話機の所有者に広告の視聴を積極的に促進させることができ、広告主は効果の高い広告情報を報知することが可能となるので企業広告などに有効に利用することができる。
【図面の簡単な説明】
【００４１】
【図１】本発明における携帯電話機の広告情報表示方法を実現するための携帯電話システムの全体構成の一例を示すブロック図
【図２】図１に示す携帯電話システムの一系統を対象とした、本発明における実施の形態１の携帯電話システムの構成内容を示すブロック図
【図３】図１に示す携帯電話システムの一系統を対象とした、本発明における実施の形態２の携帯電話システムの構成内容を示すブロック図
【図４】本発明における携帯電話機の広告情報表示方法を実現するための、実施の形態３における携帯電話機の構成を示すブロック図
【図５】本発明における携帯電話機の広告情報表示方法を実現するための、実施の形態４における携帯電話機の画面を示す図
【符号の説明】
【００４２】
１００  携帯電話機
１０１  携帯電話機信号インターフェイス部
１０２  ダウンロード要求信号生成部
１０３  広告表示部
１０４  サブジェクト選択部
１０５  選択サブジェクトダウンロード要求部
１５０  無線部
１５１  操作部
１５２  メモリ部
１５３  表示部
１５４  入出力部
１５５  制御部
２００  基地局
２０１  基地局信号インターフェイス部
３００  交換局
４００サーバ
４０１  サーバインターフェイス部
４０２  広告情報格納部
４０３  格納信号生成部
４０４  ダウンロード要求信号受信部
４０５  視聴モニタ部
４０６  割引処理部
４０７  サブジェクト生成部
５００  広告主用サーバ接続局
６００  ネットワーク網
【図１】
2006140688.tif 000003
【図２】
2006140688.tif 000004
【図３】
2006140688.tif 000005
【図４】
2006140688.tif 000006
【図５】
2006140688.tif 000007